(57)【要約】【課題】効率的に電柱情報を管理し、更にその情報を用いて近隣のコンテンツ情報を配信する情報収集配信システムを提供する。【解決手段】ネットワーク６に接続され、電柱の位置情報及び付加情報を含む電柱情報を管理する管理サーバ５と、電柱７に設置され、電柱情報を送信するアクティブ無線タグ１１と、アクティブ無線タグ１１から電柱情報を受信し、該電柱情報をネットワーク６を介して管理サーバ５へ送信する受信装置２１とを有し、受信装置２１が電柱の周囲を移動することにより、管理サーバ５が電柱情報を受信し且つ管理することができる。電柱情報の付加情報は、電柱の架空線情報であってもよい。また、受信装置２１は、電柱情報と共に、コンテンツ情報を受信する端末３１の宛先情報を管理サーバ５へ送信し、管理サーバ５は、電柱情報に基づく電柱の近隣の任意のコンテンツ情報を宛先情報の端末３１へ送信する。【選択図】　　　図２
2004112046.tif 000002
【特許請求の範囲】
【請求項１】
ネットワークに接続され、電柱の位置情報及び付加情報を含む電柱情報を管理する管理サーバと、
前記電柱に設置され、前記電柱情報を送信する第１のアクティブ無線タグと、
前記第１のアクティブ無線タグから前記電柱情報を受信し、該電柱情報を前記ネットワークを介して前記管理サーバへ送信する受信装置と
を有し、
前記受信装置が前記電柱の周囲を移動することにより、前記管理サーバが前記電柱情報を受信し且つ管理することを特徴とする情報収集配信システム。
【請求項２】
前記受信装置は、前記電柱情報と共に、コンテンツ情報を受信すべき端末の宛先情報を前記管理サーバへ送信し、
前記管理サーバは、前記電柱情報に基づく前記電柱の近隣の任意のコンテンツ情報を、前記宛先情報の前記端末へ送信する
ことを特徴とする請求項１に記載の情報収集配信システム。
【請求項３】
移動対象物に付され、該移動対象物の識別情報を送信する第２のアクティブ無線タグを更に有し、
前記受信装置は、前記第１のアクティブ無線タグから受信した前記電柱情報と、前記第２のアクティブ無線タグから受信した前記移動対象物の識別情報とを、前記管理サーバへ送信し、
前記管理サーバは、前記移動対象物の位置情報として、前記電柱情報の位置情報を用いて管理する
ことを特徴とする請求項１又は２に記載の情報収集配信システム。
【請求項４】
前記電柱情報の付加情報は、前記電柱の架空線情報であることを特徴とする請求項１から３のいずれか１項に記載の情報収集配信システム。
【請求項５】
前記受信装置は、外部インタフェースを有し、該外部インタフェースに接続された携帯電話機を用いて前記ネットワークに接続されることを特徴とする請求項１から４のいずれか１項に記載の情報収集配信システム。
【発明の詳細な説明】
【０００１】
【発明の属する技術分野】
本発明は、電柱情報を管理するシステムと、移動対象物の位置情報を管理するシステムと、極小エリアにその近隣のコンテンツ情報を配信するシステムとに関する。
【０００２】
【従来の技術及び発明が解決しようとする課題】
一般的に、電柱の位置情報や、その電柱に架された架空線等の状態に関する付加情報からなる電柱情報の管理は、人が、監視すべき電柱に出向き、その状態を目視し、管理データベースと照合することにより行われている。
【０００３】
しかし、このような従来の電柱管理方法では、人が、それぞれの電柱まで出向き、電柱情報を取得し、データベースヘ入力する必要があった。特に、架空線等の状態は、架空線の状態が変化していなくとも、電柱に上り、状態を目視する必要があった。
【０００４】
従って、電柱管理に費やす処理稼動量が増大し、データベースの管理が煩雑になるといった問題点があった。
【０００５】
また、他の従来技術として、特定のエリア等に近隣のコンテンツ情報を配信するシステムがある。例えば携帯電話機を利用したこのシステムでは、交換機又は基地局によりエリアを集約し、送信すべきコンテンツ情報を選択している。この場合、エリアは必然的に広くなる。例えば、ある店舗のみというような極小エリアに、広告情報のようなコンテンツ情報を効果的に送信しようと考えても、同一エリア内の他のコンテンツ情報に埋もれてしまい、広告効率が悪くなっていた。
【０００６】
従って、近隣のコンテンツ情報を配信するシステムでは、コンテンツ情報を極小エリアに効果的に配信できないといった問題点があった。
【０００７】
また、例えばＰＤＣ（Ｐｅｒｓｏｎａｌ　Ｄｉｇｉｔａｌ　Ｃｅｌｌｕｌａｒ）又はＰＨＳ（Ｐｅｒｓｏｎａｌ　Ｈａｎｄｙｐｈｏｎｅ　Ｓｙｓｔｅｍ）を利用した従来の位置情報システムでは、非検索対象物が、ＰＤＣ又はＰＨＳの通信機能を持つ装置を常備する必要がある。
【０００８】
従って、非検索対象物が常備する装置自体及びシステム全体についてコストが高くなるといった問題点があった。
【０００９】
そこで、前述した問題点を解決するべく、本発明は、効率的に電柱情報を管理し、更にその情報を用いて近隣のコンテンツ情報を配信する情報収集配信システムに関する。
【００１０】
【課題を解決するための手段】
本発明における情報収集配信システムによれば、
ネットワークに接続され、電柱の位置情報及び付加情報を含む電柱情報を管理する管理サーバと、
電柱に設置され、電柱情報を送信する第１のアクティブ無線タグと、
第１のアクティブ無線タグから電柱情報を受信し、該電柱情報をネットワークを介して管理サーバへ送信する受信装置と
を有し、
受信装置が電柱の周囲を移動することにより、管理サーバが電柱情報を受信し且つ管理することを特徴とする。
【００１１】
本発明における情報収集配信システムの他の実施形態によれば、
受信装置は、電柱情報と共に、コンテンツ情報を受信すべき端末の宛先情報を管理サーバへ送信し、
管理サーバは、電柱情報に基づく電柱の近隣の任意のコンテンツ情報を、宛先情報の端末へ送信することも好ましい。
【００１２】
また、本発明における情報収集配信システムの他の実施形態によれば、
移動対象物に付され、該移動対象物の識別情報を送信する第２のアクティブ無線タグを更に有し、
受信装置は、第１のアクティブ無線タグから受信した電柱情報と、第２のアクティブ無線タグから受信した移動対象物の識別情報とを、管理サーバへ送信し、管理サーバは、移動対象物の位置情報として、電柱情報の位置情報を用いて管理することも好ましい。
【００１３】
更に、本発明における情報収集配信システムの他の実施形態によれば、電柱情報の付加情報は、電柱の架空線情報であることも好ましい。
【００１４】
更に、本発明における情報収集配信システムの他の実施形態によれば、受信装置は、外部インタフェースを有し、該外部インタフェースに接続された携帯電話機を用いてネットワークに接続されることも好ましい。
【００１５】
【発明の実施の形態】
以下では、図面を用いて、本発明の実施形態を詳細に説明する。
【００１６】
図１は、電柱情報の収集及び管理におけるシステム構成図である。
【００１７】
アクティブ無線タグ１１は、電柱７に設置されており、その電柱７の電柱情報を一定間隔で常時送信する。電柱情報としては、電柱の緯度経度等の位置情報と、電柱の管理番号、電柱を経由している架空線の種類、本数等の付加情報とがある。アクティブ無線タグは、例えば電柱における架空線工事等の際に、電柱情報をその場で書き込むものであってもよい。また、その電柱情報を記録したアクティブ無線タグに取り替えるものであってもよい。
【００１８】
アクティブ無線タグは、小電力で動作可能であるため、電柱のように室外すなわち太陽光を受光可能な場所に設置する場合、太陽電池等で動作可能である。また、アクティブ無線タグは、特別な電源を用意する必要がないのでシステムとしての保守性も向上し、非常に安価であるのでコストの低減に寄与する。
【００１９】
アクティブ無線タグ１１から送信された電柱情報は、無線を介して受信装置２１で受信される。その無線としては、電波の他に、赤外線、音波、超音波等であってもよい。尚、アクティブ無線タグ１１の送信間隔によっては、受信装置２１を車両等に搭載し、移動しながら電柱情報を収集することも可能である。
【００２０】
受信装置２１は、電柱情報を収集する管理者によって所持され、アクティブ無線タグ１１が受信可能な電柱周辺を移動することにより、アクティブ無線タグ１１から送信される電柱情報を受信する。受信装置２１は、この受信した電柱情報を外部インタフェースから無線ネットワークを介して管理サーバ５ヘ送信する。
【００２１】
図１によれば、受信装置２１に携帯電話機３１を接続し、その携帯電話機３１と基地局４１とが無線を介して通信する。その基地局４１は、受信装置２１から受信した電柱情報を、ネットワーク６を介して管理サーバ５へ送信する。
【００２２】
受信装置２１が利用する無線ネットワークとしては、ＰＤＣ（Ｐｅｒｓｏｎａｌ　Ｄｉｇｉｔａｌ　Ｃｅｌｌｕｌａｒ）、ＰＨＳ（Ｐｅｒｓｏｎａｌ　Ｈａｎｄｙｐｈｏｎｅ　Ｓｙｓｔｅｍ）、無線ＬＡＮ等がある。また、受信装置２１の外部インタフェースとしては、パーソナルコンピュータ等に接続するＵＳＢ（Ｕｎｉｖｅｒｓａｌ　Ｓｅｒｉａｌ　Ｂｕｓ）、ＩＥＥＥ１３９４、ＲＳ２３２Ｃを利用したケーブル接続が考えられる。図１によれば、ＰＤＣやＰＨＳ端末の接続端子に受信装置２１を直接的に接続している。
【００２３】
管理サーバ５は、受信装置２１から電柱情報を受信し、データベースを自動的に更新する。
【００２４】
図２は、近隣のコンテンツ情報の配信におけるシステム構成図である。
【００２５】
その電柱の近隣の任意のコンテンツ情報を受信したいとき、そのコンテンツ情報受信すべき端末３１の宛先情報と、アクティブ無線タグ１１から受信した電柱情報とを、管理サーバ５へ送信する。宛先情報は、例えば、電子メールアドレス又は携帯電話機の番号等を合わせたものである。
【００２６】
電柱情報及び宛先情報を受信した管理サーバ５は、電柱情報に基づくコンテンツ情報を、宛先情報の端末３１へ送信する。電柱情報に基づくコンテンツ情報とは、例えば、電柱周辺の特売情報、観光案内、地図等である。
【００２７】
宛先情報に相当する端末は、直接、受信装置２１であってもよいし、他の端末であってもよい。例えば、宛先情報が、受信装置２１に接続された携帯電話機３１の電子メールであった場合、管理サーバ５は、電柱の近隣のコンテンツ情報を、電子メールを用いて携帯電話機３へ送信する。また、宛先情報が、インターネットサーバのアドレスを示すＵＲＬ（Ｕｎｉｆｏｒｍ　Ｒｅｓｏｕｒｃｅ　Ｌｏｃａｔｏｒ）であった場合、管理サーバ５は、コンテンツ情報をそのＵＲＬへ送信する。携帯電話機３１は、ＵＲＬを閲覧することによりコンテンツ情報を取得する。
【００２８】
図３は、移動対象物の位置情報の管理におけるシステム構成図である。
【００２９】
図３は、図１と比較して、移動対象物に付され、その移動対象物の識別情報を送信するアクティブ無線タグ８１を更に有する点で異なる。移動対象物としては、例えば、子供、老人等の人や、猫、犬等のペット、配達物等である。
【００３０】
電柱に設置されたアクティブ無線タグ１１は、図１と同様に、その電柱情報を一定間隔で常時送信する。また、移動対象物に付されたアクティブ無線タグ８１も、当該移動対象物の識別情報（ＩＤ）を一定間隔で常時送信する。
【００３１】
受信装置２１は、移動対象物に付されたアクティブ無線タグ８１から識別情報を受信すると、周辺の電柱に設置されたアクティブ無線タグ１１から受信した電柱情報と共に、管理サーバ５ヘ送信する。
【００３２】
管理サーバ５は、移動対象物の識別情報と、その周辺の電柱の電柱情報とを受信し、当該移動対象物の現在の場所を推定する。移動対象物に付される装置としてアクティブ無線タグを利用することにより、装置コストは、他の通信端未、例えばＰＤＣ又はＰＨＳを利用する場合と比べ、低価格で実現できる。
【００３３】
図４は、本発明を地下や構内に適用した場合のシステム構成図である。
【００３４】
アクティブ無線タグ１２が、ＧＰＳ（Ｇｌｏｂａｌ　Ｐｏｓｉｔｉｏｎｉｎｇ　Ｓｙｓｔｅｍ）等を利用できない地下や構内に設置されることにより、地上と地下を合わせた範囲で移動対象物の位置を管理でき、適応領域が広がるといった効果もある。この場合、地下や構内に設置するアクティブ無線タグ１２は、電柱情報に相当する情報を一定間隔で常時送信する。その情報としては、アクティブ無線タグの緯度経度や、アクティブ無線タグの管理番号、アクティブ無線タグの設置場所情報等がある。
【００３５】
また、本発明のシステムを利用することにより、以下のような検索サービスを提供できる。
【００３６】
移動対象物を検索したい人は、検索サービスに対して登録費用を支払う。また、移動対象物の情報を管理サーバに送信したい人は、受信者の登録を行う。この登録した受信者のうち、移動対象物に接続したアクティブ無線タグからの情報を管理サーバヘ送信した人に対して、情報提供料を支払う。
【００３７】
【発明の効果】
前述したように、本発明の情報収集配信システムによれば、効率的に電柱情報を管理し、更にその情報を用いて近隣のコンテンツ情報を配信することができる。
【００３８】
本発明によれば、従来技術と比較して、電柱管理に費やす処理稼動量が減少し、データベースの管理が簡易になる。また、極小エリアに近隣のコンテンツ情報を効果的に配信することができる。更に、非検索対象物が常備する装置自体及びシステム全体についてコストが安くなる。更に、情報収集者に情報提供料を支払うといった、新たな位置情報サービスの提供が可能になる。
【図面の簡単な説明】
【図１】電柱情報の収集及び管理におけるシステム構成図である。
【図２】近隣のコンテンツ情報の配信におけるシステム構成図である。
【図３】移動対象物の位置情報の管理におけるシステム構成図である。
【図４】本発明を地下や構内に適用した場合のシステム構成図である。
【符号の説明】
１１、１２　アクティブ無線タグ
２１、２２　受信装置
３１、３２　携帯電話機
４１、４２　基地局
５　管理サーバ
６　ネットワーク
７　電柱
８１、８２　移動対象物
【図１】
2004112046.tif 000003
【図２】
2004112046.tif 000004
【図３】
2004112046.tif 000005
【図４】
2004112046.tif 000006